(57)【要約】【課題】  表示領域の周囲に設けられる額縁領域の狭額縁化を実現し得る表示装置を提供する。【解決手段】  表示装置は、表示パネル１０にドライバ回路７と、磁気発生部１及びアンテナ配線２を含み、電磁誘導によって誘導電流を生じさせる電磁誘導発生部材を備えている。誘導電流は、アンテナ配線２からドライバ回路７に供給される。【選択図】  図１
2006078993.tif 000002
【特許請求の範囲】
【請求項１】
表示パネルを備え、該表示パネルの表示領域に画像表示を行う表示装置であって、
上記表示パネルに設けられた電子デバイスと、
電磁誘導によって誘導電流を生じさせる電磁誘導発生部材と、を備え、
上記電磁誘電発生部材は、上記表示領域の周囲に配置されるとともに、上記電子デバイスの少なくとも一部に上記誘導電流を印加するようになっていることを特徴とする表示装置。
【請求項２】
上記電子デバイスは、上記表示パネルへの画像表示を制御するための表示制御部材であることを特徴とする請求項１に記載の表示装置。
【請求項３】
上記電磁誘導発生部材は、磁気が発生する磁気発生部と、電磁誘導によって誘導起電力が発生する起電力発生部と、を含み、
上記起電力発生部は、上記電子デバイスに電気的に接続されていることを特徴とする請求項１又は２に記載の表示装置。
【請求項４】
上記表示パネルには、電磁誘導の影響を受けて起電力を生じる導体部材が設けられており、
上記磁気発生部は、上記導体部材を介在しないように、上記起電力発生部に対向して配置されていることを特徴とする請求項３に記載の表示装置。
【請求項５】
上記表示パネルは、互いに対向するように設けられた１対の基板を有し、
上記１対の基板のうち一方の基板は、複数の信号線によって格子状に区画された領域を有する信号線側基板であり、
上記信号線側基板の、信号線が形成された側の面上には、上記起電力発生部が設けられていることを特徴とする請求項３又は４に記載の表示装置。
【請求項６】
上記起電力発生部は、上記信号線側基板上の端部に設けられていることを特徴とする請求項５に記載の表示装置。
【請求項７】
上記信号線側基板の、信号線が形成された側の面上には、上記電子デバイスが設けられ、
上記起電力発生部は、上記信号線側基板の電子デバイスから所定の距離を離間して配置されていることを特徴とする請求項５又は６に記載の表示装置。
【請求項８】
上記起電力発生部は、上記電子デバイスに電気的に接続されてループをなすことを特徴とする請求項３〜７のいずれか１項に記載の表示装置。
【請求項９】
上記起電力発生部は、上記導線を渦巻き状に巻き回してなることを特徴とする請求項８に記載の表示装置。
【請求項１０】
上記１対の基板のそれぞれに上記電子デバイスが設けられるとともに、
一方の基板に設けられた電子デバイスと、他方の基板に設けられた電子デバイスとを相互に電気的に接続する接続部材を有し、
上記起電力発生部は、上記接続部材を介して、各基板に設けられた電子デバイスに電気的に接続されてループをなしていることを特徴とする請求項５、６又は７に記載の表示装置。
【請求項１１】
上記起電力発生部は、上記磁気発生部で発生した磁気を感知する磁気センサであることを特徴とする請求項３〜７のいずれか１項に記載の表示装置。
【請求項１２】
上記起電力発生部と電子デバイスとの間には、整流回路が設けられていることを特徴とする請求項３〜１１のいずれか１項に記載の表示装置。
【請求項１３】
さらに、上記表示パネルに光を照射するバックライトを備え、
上記電磁誘導発生部材は、バックライトの駆動周波数に同期して駆動されて、誘導電流を発生するようになっていることを特徴とする請求項１〜１２のいずれか１項に記載の表示装置。
【請求項１４】
複数の表示パネルがつなぎ合わされてなる表示装置であって、
上記表示パネルにはそれぞれ、電子デバイス、及び、電磁誘導によって誘導電流を生じさせる電磁誘導発生部材が設けられ、
上記電磁誘電発生部材は、上記表示パネルの表示領域の周囲に配置されるとともに、上記電子デバイスの少なくとも一部に上記誘導電流を印加するようになっていることを特徴とする表示装置。
【請求項１５】
互いに隣接する表示パネルのうち、一方の表示パネルに備えられた電磁誘導発生部材と、他方の表示パネルに備えられた電磁誘導発生部材とが、所定の距離を隔てて配置されるように、各表示パネルにおける電磁誘導発生部材の設置位置が設定されていることを特徴とする請求項１４に記載の表示装置。
【発明の詳細な説明】
【技術分野】
【０００１】
本発明は、表示パネルに画像表示を行う表示装置に関するものである。
【背景技術】
【０００２】
表示装置において画像表示が行われる表示パネルは、表示パネルに表示される画像の画像データを供給する信号線等が配置される基板と、該基板に対向して配置される対向基板とを備えている。一般的に、上記基板には、フレキシブルプリント基板（以下、ＦＰＣ）を介して、プリント回路基板から電源供給や信号伝達が行われるようになっている（例えば、特許文献１・２参照）。
【０００３】
上記表示装置の一例としての液晶表示装置の側面図を図８に示す。上記液晶表示装置では、図８に示すように、薄膜トランジスタ（以下、ＴＦＴ(Thin Film Transistor)素子）５６やバスライン５５が設けられたアクティブ素子基板５１と、該アクティブ素子基板５１に液晶層５４を介して、対向するように配置される対向基板５２とを備えた液晶パネル５０が用いられる。上記アクティブ素子基板５１は、バスライン５５によって区画された領域にＴＦＴ素子５６を有し、バスライン５５に電源やデータ信号等を供給してＴＦＴ素子５６を駆動するドライバ５７を有している。
【０００４】
また、上記液晶パネル５０のアクティブ素子基板５１の背面には、バックライト６４と、アクティブ素子基板５１に電源やデータ信号を供給するプリント回路基板５３とが設けられている。さらに、上記液晶表示装置には、上記アクティブ素子基板５１のドライバ５７に、プリント回路基板５３からの電源供給やデータ信号の伝達を行うために、ＦＰＣ５８が用いられる。ＦＰＣ５８は、アクティブ素子基板５１とプリント回路基板５３とを電気的に接続するものであり、アクティブ素子基板５１側に配置されるＦＰＣ５８の端子は、異方性導電膜６１等を介して、上記ドライバ５７に接続される接続用配線６２上に設けられ、プリント回路基板５３側に配置されるＦＰＣ５８の端子は、ソケット５９に挿し込まれるようになっている。
【０００５】
ここで、上記ＦＰＣ５８は、図８に示すように、アクティブ素子基板５１の端部で折り曲げられて、アクティブ素子基板５１とプリント配線基板５３とを接続するようになっている。そのため、アクティブ素子基板５１のエッジ部分と、折り曲げられたＦＰＣ５８とが接触して、ＦＰＣ５８の配線にクラックやキズが生じることを防止するために、アクティブ素子基板５１のエッジ部分は研磨されている。
【０００６】
また、ＦＰＣ５８を介して、異方性導電膜６１を介して、プリント回路基板５３とアクティブ素子基板５１とを電気的に接続する場合、アクティブ素子基板５１の接続用配線６２とＦＰＣ５８との間に、異方性導電膜６１を挿入し、これらを図示しない加熱手段によって熱圧着する（特許文献２参照）。これにより、アクティブ素子基板５１とＦＰＣ５８とが、機械的かつ電気的に接続されるようになっている。
【０００７】
上記熱圧着によって、アクティブ素子基板５１とＦＰＣ５８との良好な接着強度及び良好な導通状態を得るために、アクティブ素子基板５１にはＦＰＣ５８との接続領域を確保する必要がある。この接続領域は、良好な接着強度及び良好な導通状態を確保することができる面積で形成されるとともに、アクティブ素子基板５１とＦＰＣ５８との接続誤差や、アクティブ素子基板５１及びＦＰＣ５８の外形寸法の公差、熱圧着時の加熱手段による押圧位置のずれ等を考慮し、加熱手段からの熱の影響を受けないように、十分な大きさで形成される。そのため、図８に示すように、ＦＰＣ５８は、アクティブ素子基板５１は、上記接続領域を確保するために、対向基板５２よりも大きいサイズとなっている。
【０００８】
また、上記したように、ＦＰＣ５８は、アクティブ素子基板５１の端部で折り曲げられている。従って、上記アクティブ素子基板５１上の接続領域、及び、ＦＰＣ５８の折り曲げに必要なスペースは、表示装置の外形カバー部分となり、表示パネル１０の表示領域の外側に設けられる額縁領域となる。
【０００９】
ところで、近年、携帯電話やカーナビゲーション、ノート型パソコン等の携帯情報端末に備えられる表示装置は、携帯情報端末の外形寸法に収まる範囲内で最大寸法となるように、額縁領域を縮小して、より広い表示領域を確保することが求められている。
【００１０】
また、家庭用のテレビやＯＡ機器等に用いられる液晶表示装置や有機ＥＬ（electro luminescent）表示装置、プラズマ表示装置等には、臨場感に富んだ画像表示等のように、視覚的に優れた効果を実現するために、大画面化が要求され、表示装置が大型化する傾向にある。このような表示装置の大画面化は、通常、複数の表示パネルをつなぎ合わせることによって行われている。そのため、大画面化を要求される表示装置では、表示パネルのつなぎ目を目立たなくするために、各表示パネルにおける額縁領域を縮小することが望まれている。
【特許文献１】特開平５−１８３２４７号公報（１９９３年７月２３日公開）
【特許文献２】特開平５−２９０９４１号公報（１９９３年１１月５日公開）
【特許文献３】特開平１０−１５４２１５号公報（１９９８年６月９日公開）
【発明の開示】
【発明が解決しようとする課題】
【００１１】
上記のように、携帯情報端末や大画面化した表示装置にて、表示領域以外の領域である額縁領域を可能な限り小さくするためには、アクティブ素子基板５１に設けられたＦＰＣ５８との接続領域を縮小し、また、ＦＰＣ５８の折り曲げのスペースを縮小することが求められる。
【００１２】
しかしながら、図８に示すＦＰＣ５８を用いた場合、上記したように、アクティブ素子基板５１とプリント配線基板５３との良好な接続信頼性を確保するためには、アクティブ素子基板５１に、ＦＰＣ５８との接続領域を十分な面積で確保する必要がある。また、図８に示すように、アクティブ素子基板５１のエッジ部分で、ＦＰＣ５８に断線が生じないようにＦＰＣ５８を折り曲げるため、ＦＰＣ５８の折り曲げのスペースを確保する必要がある。従って、ＦＰＣ５８を用いる場合、該ＦＰＣ５８を配置するスペースが、表示装置の額縁領域となってしまうという問題がある。さらに、ＦＰＣ５８を折り曲げて使用する場合には、アクティブ素子基板５１の端部を研磨する必要があり、製造の煩雑さを伴う。
【００１３】
なお、特許文献３には、外部磁界が無くても安定した分極作用を示す強誘電性液晶を液晶パネルとして使用した、表示機能付き非接触ＩＣカード（以下、ＩＣカード）が開示されている。このＩＣカードは、データ処理手段であるリーダライタからの電磁誘導波を受信アンテナで受信して、該電磁誘導波から電力を得ている。そして、この電力を、上記液晶パネルに供給することにより、電力供給が停止した場合にも強誘電性液晶が配向状態を保つメモリ性を利用して、ＩＣカードに情報表示を行うようになっている。しかしながら、上記特許文献３には、ＩＣカードに設けられた表示手段に、該ＩＣカード内の情報を表示することを目的としたものであり、表示装置として動画等の表示駆動制御を行うことや、表示装置の狭額縁化を実現することについては一切記載されていない。
【００１４】
本発明は、上記従来の問題点を解決するためになされたものであって、その目的は、表示領域の周囲に設けられる額縁領域の狭額縁化を実現し得る表示装置を提供することにある。
【課題を解決するための手段】
【００１５】
本発明に係る表示装置は、上記課題を解決するために、表示パネルを備え、該表示パネルの表示領域に画像表示を行う表示装置であって、上記表示パネルに設けられた電子デバイスと、電磁誘導によって誘導電流を生じさせる電磁誘導発生部材と、を備え、上記電磁誘電発生部材は、上記表示領域の周囲に配置されるとともに、上記電子デバイスの少なくとも一部に上記誘導電流を印加するようになっていることを特徴としている。
【００１６】
ここで、上記電子デバイスには、少なくとも、上記表示パネルへの画像表示を制御するための表示制御部材が含まれる。上記表示制御部材とは、アクティブ素子、表示パネルに設けられる信号線に電流を印加することによって表示駆動制御を行うドライバ等の駆動回路等、画像表示の制御に関与する部材をいう。また、上記電子デバイスには、上記表示制御部材に限らず、半導体集積回路、チップ抵抗、チップコンデンサ等のＩＣチップ等、作動に際して電力供給が必要とされる電子部品全般を含む。
【００１７】
上記の構成によれば、上記電磁誘導発生部材は大きさが微小であるため、表示領域の周囲に、小さい占有面積で配置することが可能である。また、表示パネルに設けられた少なくとも一部の電子デバイスには、電磁誘導発生部材で発生した誘導電流を電源又は信号として供給することができる。従って、上記電磁誘導発生部材を用いれば、表示領域の周囲に該電磁誘導発生部材を配置した場合にも、表示領域の周囲に設けられる額縁領域を縮小して、表示パネルの表示駆動を行うことができる。
【００１８】
また、従来の表示装置のように、ＦＰＣを用いることなく表示駆動を行うことができる。そのため、ＦＰＣを用いた場合に必要であった表示パネルにおけるＦＰＣとの接続領域が不要になるとともに、ＦＰＣを良好に接続するために必要な面積を確保する必要がない。また、ＦＰＣを折り曲げて配置する場合に行っていた表示パネルに使用される基板（後述）のエッジ部分を研磨する手間を省くことができる。従って、上記電磁誘導発生部材を備えることにより、ＦＰＣを使用した従来の表示装置に比べて、狭額縁化を実現した表示装置を提供することができる。
【００１９】
さらに、本発明に係る表示装置は、上記の表示装置において、上記電磁誘導発生部材は、磁気が発生する磁気発生部と、電磁誘導によって誘導起電力が発生する起電力発生部と、を含み、上記起電力発生部は、上記電子デバイスに電気的に接続されている。
【００２０】
上記の構成によれば、磁気発生部で発生した磁気によって誘導起電力が起電力発生部に発生し、この誘導起電力によって生じた誘導電流が、起電力発生部から電子デバイスに供給されるようになっている。そのため、磁気発生部で発生する磁気の大きさや、磁気を発生させるタイミングを制御することにより、起電力発生部に生じる誘導起電力の大きさや、誘導起電力が生じるタイミングを制御することができる。これにより、電子デバイスに供給される誘導電流の大きさや、電子デバイスに誘導電流を供給するタイミングを制御することができるので、上記電磁誘導発生部材を用いて、表示装置の表示駆動を制御することができる。
【００２１】
また、本発明に係る表示装置は、上記の表示装置において、上記表示パネルには、電磁誘導の影響を受けて起電力を生じる導体部材が設けられており、上記磁気発生部は、上記導体部材を介在しないように、上記起電力発生部に対向して配置されていることが好ましい。
【００２２】
上記の構成によれば、上記電磁誘導発生部材は、磁気発生部と起電力発生部とを含み、磁気発生部で発生した磁気を受けて、起電力発生部に誘導起電力が生じるようになっている。それゆえ、上記起電力発生部にて、効率よく誘導起電力を生じさせるために、磁気発生部と起電力発生部との間に、電磁誘導によって起電力が生じる導体部材を配置しないようにしている。これにより、磁気発生部で発生した磁気による電磁誘導によって、効率よく起電力発生部に誘導起電力を発生させることができる。
【００２３】
また、上記の構成によれば、上記導体部材が、磁気発生部の磁気の影響を受けて、電磁誘導を生じることを防止することができる。上記導体部材が電磁誘導の影響を受けると、該導体部材に発生した起電力がノイズとなって、表示パネルでの画像表示に悪影響を及ぼすことがある。しかしながら、上記の構成を採用することにより、導体部材には、磁気発生部の磁気による起電力はほとんど発生しないので、表示パネルにて高品位の画像表示を実現することができる。
【００２４】
さらに、本発明に係る表示装置は、上記の表示装置において、上記表示パネルは、互いに対向するように設けられた１対の基板を有し、上記１対の基板のうち一方の基板は、複数の信号線によって格子状に区画された領域を有する信号線側基板であり、上記信号線側基板の、信号線が形成された側の面上には、上記起電力発生部が設けられていてもよい。
【００２５】
上記の構成によれば、信号線側基板の信号線等の電子デバイスが形成された面と同一の面上に起電力発生部を設けて、表示装置での表示駆動に必要な電源や信号の供給を行うことができる。従って、起電力発生部と信号線等の電子デバイスとを電気的に接続する配線を同一面上に形成することができるので、上記配線の形成を容易に行うことができる。また、起電力発生部は、大きさが微小であるため、信号線等の電子デバイスの配置の自由度を制限することなく、信号線側基板の信号線が形成された側に配置することができる。
【００２６】
また、本発明に係る表示装置は、上記の表示装置において、上記起電力発生部は、上記信号線側基板上の端部に設けられていることが好ましい。
【００２７】
ここで、信号線側基板上の端部とは、信号線側基板上の、表示パネルの表示領域に対応する領域を除いた領域であって、信号線側基板上の外周辺に沿った領域や、信号線側基板が矩形状等のように頂角を有する場合の角部分をいう。
【００２８】
上記起電力発生部は、微小な部材であるため、信号線側基板上の端部に配置されても、該起電力発生部が占有する面積も小さい。そのため、表示パネルにおける額縁領域を小さくすることができるので、表示装置の狭額縁化を図ることができる。
【００２９】
さらに、本発明に係る表示装置は、上記の表示装置において、上記信号線側基板の、信号線が形成された側の面上には、上記電子デバイスが設けられ、上記起電力発生部は、上記信号線側基板の電子デバイスから所定の距離を離間して配置されていることが好ましい。
【００３０】
上記の構成によれば、電子デバイスから所定距離を離間するように、起電力発生部が設けられているので、電子デバイスが、起電力発生部に発生した誘導起電力の影響を受けることを防止することができる。従って、上記電子デバイスに、起電力発生部の誘導起電力によるノイズが発生することを防止して、高品位の画像表示を実現することができる。なお、上記所定の距離とは、電子デバイスに誘導起電力によるノイズが生じない程度の距離であればよい。
【００３１】
また、本発明に係る表示装置は、上記の表示装置において、上記起電力発生部は、上記電子デバイスに電気的に接続されてループをなすことが好ましい。
【００３２】
これにより、起電力発生部で生じた誘導起電力によって得られる誘導電流を、電子デバイスに供給することができる。
【００３３】
さらに、本発明に係る表示装置は、上記の表示装置において、上記起電力発生部は、上記導線を渦巻き状に巻き回してなることが好ましい。
【００３４】
上記の構成によれば、起電力発生部が渦巻き状にループをなしているので、上記磁気発生部からの磁気を受けて、上記起電力発生部に、より大きな誘導起電力を発生させることができる。これにより、より一層効率よく電子デバイスに供給する電流を得ることができる。
【００３５】
また、本発明に係る表示装置は、上記の表示装置において、上記１対の基板のそれぞれに上記電子デバイスが設けられるとともに、一方の基板に設けられた電子デバイスと、他方の基板に設けられた電子デバイスとを相互に電気的に接続する接続部材を有し、上記起電力発生部は、上記接続部材を介して、各基板に設けられた電子デバイスに電気的に接続されてループをなしていてもよい。
【００３６】
上記の構成によれば、一方の基板に電源を供給し、さらに、該一方の基板から他方の基板に電源を供給する場合にも、本発明の電磁誘導発生部材を好適に用いることができる。すなわち、上記の構成によれば、起電力発生部は、上記接続部材と各基板の電子デバイスとを電気的に接続してループをなすように設けられている。そのため、各基板に、電磁誘導発生部材をそれぞれ設けなくても、表示パネルに一つの電磁誘導発生部材を設けることによって、各基板に設けられた電子デバイスに電源や信号を供給することができる。
【００３７】
さらに、本発明に係る表示装置は、上記の表示装置において、上記起電力発生部は、上記磁気発生部で発生した磁気を感知する磁気センサであってもよい。
【００３８】
上記の構成によれば、磁気センサは、磁気発生部で発生した磁気を感知することによりオン／オフが切り換わる。そのため、磁気センサのオン／オフの切り換えを利用することにより、表示パネルへの信号伝達の有無を切り換えることができる。従って、磁気センサを用いることによって、画像信号の伝達を制御して、表示パネルを表示駆動することができる。
【００３９】
また、本発明に係る表示装置は、上記の表示装置において、上記起電力発生部と電子デバイスとの間には、整流回路が設けられている。
【００４０】
上記の構成によれば、電磁誘導によって起電力発生部に生じる誘導電流は交流である。そのため、起電力発生部と電子デバイスとの間に整流回路を設けることにより、電子デバイスの電源として利用可能となるように、交流の誘導電流を直流化することができる。
【００４１】
また、本発明に係る表示装置は、上記の表示装置において、さらに、上記表示パネルに光を照射するバックライトを備え、上記電磁誘導発生部材は、バックライトの駆動周波数に同期して駆動されて、誘導電流を発生するようになっていてもよい。
【００４２】
一般に、バックライトを備えた表示装置では、バックライトを駆動する駆動周波数に応じて、表示パネルの電子デバイス等に電磁誘導が生じる可能性がある。この電磁誘導によって生じた電流は、表示パネルに画像を表示する際のノイズとなるおそれがある。そのため、バックライトを備えた表示装置では、通常、バックライトの点灯による電磁誘導の影響を受けない程度に、バックライトと表示パネルとは離間して配置されている。
【００４３】
上記の構成によれば、バックライトの駆動周波数に同期して、電磁誘導発生部材を駆動している。そのため、万一、バックライトの駆動時に生じる電磁誘導に起因する電流が発生した場合にも、この電流の発生のタイミングに合わせて、電磁誘導発生部材に誘導電流が発生するようになっているので、バックライトの駆動時に発生する微小な電流によって生じるノイズを目立ち難くすることができる。これにより、表示パネルに表示される画像の表示品位を確保することができる。
【００４４】
さらに、本発明に係る表示装置は、上記課題を解決するために、複数の表示パネルがつなぎ合わされてなる表示装置であって、上記表示パネルにはそれぞれ、電子デバイス、及び、電磁誘導によって誘導電流を生じさせる電磁誘導発生部材が設けられ、上記電磁誘電発生部材は、上記表示パネルの表示領域の周囲に配置されるとともに、上記電子デバイスの少なくとも一部に上記誘導電流を印加するようになっていることを特徴としている。
【００４５】
上記の構成によれば、各表示パネルに電磁誘導発生部材を設けて、各表示パネルの電子デバイスに電源や信号を供給するようになっている。そのため、各表示パネルは、狭額縁化されているので、複数の表示パネルをつなぎ合わせた場合にも、つなぎ目が目立ち難い。これにより、表示装置の大画面化に際して、複数の表示パネルをつなぎ合わせても、優れた表示品位で画像表示を行うことができる。
【００４６】
また、本発明に係る表示装置は、上記の表示装置において、互いに隣接する表示パネルのうち、一方の表示パネルに備えられた電磁誘導発生部材と、他方の表示パネルに備えられた電磁誘導発生部材とが、所定の距離を隔てて配置されるように、各表示パネルにおける電磁誘導発生部材の設置位置が設定されていることが好ましい。
【００４７】
上記の構成によれば、複数の表示パネルをつなぎ合わせた場合に、隣接する表示パネル間で、一方の表示パネルに設けられた電磁誘導発生部材からの電磁誘導の影響が、他方の表示パネルに及ぶことを防止することができる。これにより、複数の表示パネルをつなぎ合わせた表示装置においても、表示品位の高い画像表示を実現することができる。
【発明の効果】
【００４８】
本発明に係る表示装置は、以上のように、表示パネルに設けられた電子デバイスと、電磁誘導によって誘導電流を生じさせる電磁誘導発生部材と、を備え、上記電磁誘電発生部材は、表示領域の周囲に配置されるとともに、上記電子デバイスの少なくとも一部に上記誘導電流を印加するようになっている。
【００４９】
それゆえ、上記電磁誘導発生部材を用いれば、表示領域の周囲に小さい占有面積で配置して、該電磁誘導発生部材で発生した誘導電流を電子デバイスに電源又は信号として供給することができる。従って、表示領域の周囲に設けられる額縁領域を縮小して、表示パネルの表示駆動を行うことができるという効果を奏する。
【００５０】
また、本発明に係る表示装置は、以上のように、複数の表示パネルがつなぎ合わされてなる表示装置であって、上記表示パネルにはそれぞれ、電子デバイス、及び、電磁誘導によって誘導電流を生じさせる電磁誘導発生部材が設けられ、上記電磁誘電発生部材は、上記表示パネルの表示領域の周囲に配置されるとともに、上記電子デバイスの少なくとも一部に上記誘導電流を印加するようになっている。
【００５１】
それゆえ、表示パネルには、電磁誘導発生部材を配置する領域を確保すればよいので、表示パネルの狭額縁化を図ることができる。これにより、複数の表示パネルをつなぎ合わせて大画面化を図った場合にも、つなぎ目が目立ち難く、優れた表示品位を有する表示装置を提供することができるという効果を奏する。
【発明を実施するための最良の形態】
【００５２】
本発明の実施の一形態について図１ないし図７に基づいて説明すれば、以下の通りである。なお、以下では、表示装置の一例として、アクティブマトリクス方式の液晶表示装置を例に挙げて説明するが、本発明は、アクティブマトリクス方式に限らず、単純マトリクス方式、スタティック方式、マルチプレックス方式等の液晶表示装置にも適用可能であり、また、有機ＥＬ表示装置、プラズマ表示装置、ＬＥＤ表示装置等の、液晶表示装置以外の他の表示装置にも適用可能である。
【００５３】
本実施の形態の液晶表示装置は、従来、ＦＰＣを介して行われていた電源供給や信号伝達を、コイル状素子や磁気発生素子等の磁気発生部により、アンテナ配線や磁気センサ等の起電力発生部に発生した誘導起電力を用いて行うものである。つまり、上記液晶表示装置は、磁気発生部によって、起電力発生部に誘導起電力を発生させて得られる電流（誘導電流）を、表示パネルの表示駆動を行うための電源として供給するとともに、誘導起電力の発生の有無を利用して、表示信号の伝達を行うものである。
【００５４】
図１に、上記液晶表示装置の側面図を示す。また、図２（ａ）に、上記液晶表示装置の上面図を示し、図２（ｂ）・（ｃ）に、図２（ａ）の丸で囲んだ領域に形成されたアンテナ配線の上面図及び斜視図を示す。
【００５５】
上記液晶表示装置は、図１に示すように、画像表示を行う表示領域２０（図２（ａ））を備えた表示パネル１０と、該表示パネル１０の表示領域２０に光を照射するバックライト４と、磁気発生部１及びアンテナ配線（起電力発生部）２を含む電磁誘導発生部材と、制御用回路基板であるプリント回路基板３と、を備えている。
【００５６】
上記表示パネル１０は、１対の光透過性を有する略同形の絶縁基板（基板）が互いに対向するように配置されてなる。上記１対の絶縁基板は、例えば紫外線硬化樹脂や熱硬化樹脂等で形成されるシール部材１３で貼り合わされる。このシール部材１３で貼り合わされた１対の絶縁基板間には液晶（表示用材料）が封入され、絶縁基板によって液晶層１４が挟持されている。上記１対の絶縁基板は、図１に示すように、対向電極を有する対向基板１２、及び、画素電極やアクティブ素子を有する側のアクティブ素子基板１１である。
【００５７】
上記対向基板１２の液晶層１４が配置される側の面には、図１に示すように、Ｒ（赤），Ｇ（緑），Ｂ（青）のカラーフィルタ１６が形成されている。また、カラーフィルタ１６上には、液晶層１４に電圧を印加するための対向電極１５や図示しない配線等が設けられている。上記カラーフィルタ１６及び対向電極１５は、表示パネル１０の表示領域２０全体を少なくとも覆う大きさを有している。
【００５８】
一方、上記対向基板１２の液晶層１４が配置される側とは反対側の面には、図１に示すように、表偏光板１９が設けられている。表偏光板１９は、表示パネル１０の表示領域２０全体を少なくとも覆う大きさを有している。この表偏光板１９の側から、観察者が表示パネル１０の表示領域２０を観察することによって、表示領域２０に形成される画像を目視し得るようになっている。
【００５９】
上記アクティブ素子基板１１の液晶層１４が配置される側の面には、互いに直交するソースバスライン（信号線）とゲートバスライン（信号線）とからなるバスライン（信号線）５が設けられ、該バスライン５によって格子状に区画された画素領域に、図示しない画素電極と、ＴＦＴ素子、ＭＩＭ（Metal Insulator Metal）素子、ＴＦＤ（Thin Film Diode）等のアクティブ素子（電子デバイス・表示制御部材）６（図１）とが設けられている。また、アクティブ素子基板１１の端部には、アクティブ素子基板１１上のバスライン５やアクティブ素子６等への電圧の印加等、表示パネル１０に画像表示を行うための、表示駆動制御を行うドライバ回路（電子デバイス・表示制御部材）７が設けられている。
【００６０】
さらに、図２（ｂ）に示すように、上記ドライバ回路７に並んで、上記アクティブ素子基板１１の端部には、後述する磁気発生部１から、電磁誘導によって起電力を発生させるアンテナ配線２が設けられ、該アンテナ配線２がドライバ回路７に接続されている。上記アンテナ配線２は、表示パネル１０の表示領域２０の周囲にドライバ回路７が形成されることによって、表示パネル１０の額縁領域となる領域内に収まる大きさで形成される。言い換えれば、アンテナ配線２は、上記ドライバ回路７が配置される、表示領域２０の端部とアクティブ素子基板１１の端部との間に収まる大きさで形成される。これにより、ドライバ回路７が配置できる程度の大きさで、表示パネル１０の額縁領域が形成されるので、ＦＰＣを用いていた従来の表示装置に比べて、大幅に額縁領域を縮小することができる。
【００６１】
上記アンテナ配線２は、金属の導線で形成され、電磁誘導によって発生した起電力による誘導電流が流れるため、プラス端子及びマイナス端子の２つの端子を有している。そして、この２つの端子がドライバ回路７に接続されて、アンテナ配線２はループ（閉回路）をなしている。
【００６２】
また、電磁誘導によって効率よく誘導起電力を発生することができるように、上記アンテナ配線２は、図２（ｂ）に示すように、渦巻き状に形成されることが好ましい。これにより、アンテナ配線２と単位時間あたりに作用する磁束数を増加させることができるので、アンテナ配線２に発生する起電力を大きくすることができる。なお、上記アンテナ配線２の渦巻きは、図２（ｃ）に示すように、アクティブ素子基板１１上に平面的に、すなわちアクティブ素子基板１１面に渦を描くように、導線を巻き回して形成すればよい。
【００６３】
上記アンテナ配線２を渦巻き状にかつループをなすように形成する場合、図２（ｃ）に示すように、アンテナ配線２をなす導線２ａが互いに交差する箇所（以下、交差箇所）がある。そのため、この交差箇所にて導線２ａ間で短絡しないように、アンテナ配線２上に、絶縁層２ｂを形成し、上記交差箇所では、該絶縁層２ｂ上に導線２ａを配置して、導線２ａが交差するようになっている。上記のような導線２ａの交差箇所は、アクティブ素子基板１１上にソースバスラインとゲートバスラインとを交差して形成する際に、これらバスラインの形成と同様の手順で、同時に形成すればよい。
【００６４】
さらに、上記アンテナ配線２は、該アンテナ配線２で発生した誘導起電力による電流が、表示パネル１０のバスライン５やアクティブ素子６、ドライバ７に、誘導ノイズとして悪影響を及ぼすことを防止するために、表示領域２０（図２（ａ））から所定の距離を離間して配置される。そのため、上記したように、表示領域２０の周囲の、ドライバ７に隣接する位置に、アンテナ配線２を設けることが好ましい。この場合、表示パネル１０の上記した各部材とアンテナ配線２とが離間される距離は、各部材がアンテナ配線２からの誘導ノイズによる悪影響を受けない距離であれば特に限定されず、通常０．５ｍｍ以上であればよい。
【００６５】
また、上記アンテナ配線２に生じた誘導起電力から発生した電流は交流である。従って、上記ドライバ７へ電源を供給するためには、アンテナ配線２で発生した交流電流を直流化する必要がある。そのため、ドライバ７内、もしくは、アンテナ配線２とドライバ７との間に、図示しない整流回路を設ける。該整流回路は、トランジスタやダイオード、サイリスタで形成すればよい。
【００６６】
一方、上記アクティブ素子基板１１の液晶層１４が配置される側とは反対側の面には、裏偏光板１８が設けられている。この裏偏光板１８は、表示パネル１０の表示領域２０（図２（ａ））全体を少なくとも覆う大きさを有している。また、上記裏偏光板１８上には、該裏偏光板１８を介して、表示パネル１０の表示領域を照射するためのバックライト４が設けられている。
【００６７】
さらに、上記アクティブ素子基板１１の液晶層１４が配置される側とは反対側の面には、アクティブ素子基板１１を介して、上記アンテナ配線２と対向するように、磁気発生部１が設けられている。上記磁気発生部１は、例えば、コイル状素子や磁気発生素子等によって形成されてなる。
【００６８】
上記磁気発生部１からの磁束を受けて、上記アンテナ配線２に誘導起電力を効率よく発生させるために、上記磁気発生部１とアンテナ配線２との間には、裏偏光板１８、ブラックマトリクス、カラーフィルタ、導電性物質を含む接着剤等、上記磁気発生部１の影響を受けて起電力を発生する導体部材を配置しないようにする。言い換えれば、磁気発生部１からアンテナ配線２へ磁力線（磁束）が通る経路が露出するように、アクティブ素子基板１１上の導体部材の一部を切り取った切取部に、磁気発生部１を配置する。これにより、アンテナ配線２以外の部材、すなわち導体部材等に不要な起電力が発生して、該起電力がノイズとして、アンテナ配線２やバスライン５に悪影響を及ぼすことを防止することができる。
【００６９】
上記バックライト４、磁気発生部１は、図１に示すように、プリント回路基板３上に形成されている。つまり、上記液晶表示装置では、図１に示すように、バックライト４を介して、アクティブ素子基板１１に対向するように、プリント回路基板３が設けられている。上記プリント回路基板３は、バックライト４に電源を供給するとともに、磁気発生部１に磁束を発生させるための電流又は信号を供給する。従って、プリント回路基板３上の制御回路と、バックライト４及び磁気発生部１とは、電気的に接続されている。
【００７０】
上記構成の液晶表示装置は、上記バックライト４、磁気発生部１等が形成されたプリント回路基板３と、裏偏光板１８、バスライン５、アクティブ素子６、ドライバ回路７、アンテナ配線２等が形成されたアクティブ素子基板１１とを対向させて配置した状態で固定することにより、組み立てられる。このとき、プリント回路基板３に設けられた磁気発生部１と、アクティブ素子基板１１に設けられたアンテナ配線２とが、精度よく対向するように、プリント回路基板３とアクティブ素子基板１１とを固定する。
【００７１】
ここで、対向配置される磁気発生部１とアンテナ配線２との距離や、アクティブ素子基板１１の厚さ（透磁率）は、アンテナ配線２に発生する起電力の大きさに影響を与える。また、アンテナ配線２に発生する起電力の大きさは、磁気発生部１での磁束の大きさや、アンテナ配線２の導線２ａ（図２（ｃ））の巻き数によっても変化する。そのため、ドライバ回路７に、磁気発生部１及びアンテナ配線２によって得られた電流を所望する大きさで供給することができるように、液晶表示装置に使用する磁気発生部１及びアンテナ配線２に応じて、該磁気発生部１とアンテナ配線２との両者間の距離を調整して、対向配置することが望ましい。
【００７２】
また、上記磁気発生部１及びアンテナ配線２は、図１に示すように、表示パネル１０の端部に配置されることが好ましい。具体的には、図２（ａ）に示すように、アクティブ素子基板１上の表示領域２０の周囲に設けられたドライバ回路７に隣接するように、アンテナ配線２を配置する。このアンテナ配線２は、上記ドライバ回路７が配置されることによって、表示領域２０の周囲に形成される額縁領域となる領域内に収まる大きさで形成される。そして、このアンテナ配線２に、上記アクティブ素子基板１１を介して対向するように、磁気発生部１を配置する。
【００７３】
なお、大画面化した液晶表示装置を形成するために、複数の表示パネル１０をつなぎ合わせる場合には、上記アンテナ配線２は、図２（ａ）に示すように、表示パネル１０の表示領域２０の周囲に配置され、矩形の表示パネル１０の四辺のうちの二辺に沿って設けられることが好ましい。また、ドライバ回路７も、アンテナ配線２とともに、表示パネル１０の同じ辺に沿って設けられることが好ましい。これにより、表示パネル１０の四辺のうちの二辺には、アンテナ配線２及びドライバ回路７が配置されて、これらの部材の大きさに対応した額縁領域が形成されるが、残りの二辺には、アンテナ配線２及びドライバ回路７が配置されないので、額縁領域を大幅に縮小することができる。
【００７４】
従って、図２（ａ）に示す表示パネル１０を１２台つなぎ合わせて、図３に示すように、大画面化した液晶表示装置を形成する場合、各表示パネル１０の角部分以外では、隣り合う表示パネル１０間で、アンテナ配線２及びドライバ回路７が配置された額縁領域が隣接することを防止することができる。これにより、表示パネル１０のつなぎ目に形成される額縁領域をできるだけ小さくすることができるので、つなぎ目で額縁領域が目立つことを防止することができる。
【００７５】
また、上記のように、表示パネル１０をつなぎ合わせる場合、互いに隣接する表示パネルのうち、一方の表示パネル１０の磁束が、他方の表示パネル１０に影響を及ぼして電磁誘導を生じさせないように、各表示パネル１０における磁気発生部１及びアンテナ配線２を形成することが好ましい。
【００７６】
すなわち、図３に示すように、２辺に額縁領域を有する表示パネル１０をつなぎ合わせた場合、表示パネル１０の角部分では、隣接する表示パネル１０間で、額縁領域が隣接する。そのため、この角部分を避けるように、磁気発生部１及びアンテナ配線２を形成する。具体的には、図４に示すように、表示パネル１０の額縁領域の角部分８を避けるように、磁気発生部１及びアンテナ配線２を形成すればよい。これにより、隣接する表示パネル１０間で、異なる表示パネル１０に設けられた磁気発生部１の影響を受けて、各表示パネル１０における表示品位が低下することを防止することができる。
【００７７】
それゆえ、上記のように、２辺に額縁領域を有し、かつ、該額縁領域の角部分８に磁気発生部１及びアンテナ配線２が形成されていない表示パネル１０を用いれば、つなぎ目が目立たず、表示品位の優れた大画面の液晶表示装置を提供することができる。
【００７８】
次に、上記構成の液晶表示装置にて、表示パネル１０に画像表示を行う際の駆動方法について説明する。すなわち、図１に示すように、プリント回路基板３から磁気発生部１に電圧が供給されることにより、磁気発生部１から磁力線が発生するので、アンテナ配線２には電磁誘導による起電力が発生する。このとき、アンテナ配線２に発生する起電力の大きさは、磁気発生部１で発生する磁束の大きさや、アンテナ配線２の導線２ａの巻き数、磁気発生部１とアンテナ配線２との距離、アクティブ素子基板１１の透磁率に応じて決定される。
【００７９】
上記アンテナ配線２に発生した起電力によって生じた電流は、図示しない整流回路で直流に変換されてドライバ回路７に供給される。これにより、ドライバ回路７が駆動される。また、ドライバ回路７から、各バスライン５に順次電圧が印加されることにより、アクティブ素子６が導通状態になって、画像信号が画素電極に印加される。一方、図１に示す対向基板１２に設けられた対向電極１５には、所定の電圧が印加されている。
【００８０】
従って、上記画素電極に印加された電圧と、対向電極１５に印加された電圧との間には、電位差が生じることになる。これにより、この電位差に基づく電圧が液晶層１４に印加されることになるので、表示パネル１０の表示領域２０には、画像信号に応じた画像が表示される。
【００８１】
なお、上記磁気発生部１は、バックライト４の駆動周波数と同期をとって駆動されて、磁束を発生することが好ましい。すなわち、アンテナ配線２は、バックライト４の駆動に起因する電磁誘導によって、起電力を生じることがある。このような起電力による電流は、アンテナ配線２からドライバ回路７やバスライン５に印加されて、表示パネル１０での画像表示に際してノイズとなって現れる。
【００８２】
そこで、このようなノイズの発生を抑制するために、磁気発生部１における磁束の発生を、バックライト４の駆動周波数に同期するように制御する。これにより、アンテナ配線２で電流が発生するタイミングと、バックライト４の駆動に起因する電磁誘導の影響によって電流が発生するタイミングとがほぼ一致することになる。これにより、バックライト４の駆動によって表示パネル１０に生じるノイズを目立ち難くすることができ、表示パネル１０での表示品位を確保することができる。
【００８３】
このように、本実施の形態の液晶表示装置では、従来、ＦＰＣを用いて行われていたプリント回路基板３からドライバ回路７への電源や信号の供給を、磁気発生部１及びアンテナ配線２によって行っている。そのため、アクティブ素子基板１１上に形成されるＦＰＣとの接続領域、及び、ＦＰＣを折り曲げて配置するためのスペースを確保する必要がない。それゆえ、従来のＦＰＣを用いた液晶表示装置（図８）に比べて、表示パネルの額縁領域を縮小して、狭額縁化を図ることができる。
【００８４】
図５に、アンテナ配線の他の例を示す。上記では、図２（ｂ）に示すように、アクティブ素子基板１１上に平面的に１重のループをなすアンテナ配線２を設けているが、これに限定されるものではなく、例えば、図５に示すアンテナ配線であってもよい。具体的には、図５に示すように、磁気発生部１からの磁束を確実に捕捉するために、２重のループを有するアンテナ配線２１を用いてもよい。あるいは、３重以上のループをなすアンテナ配線でもよい。また、複数のループを有する場合、各ループは、渦巻き状に形成されていてもよい。
【００８５】
また、図６に、磁気発生部及びアンテナ配線の他の配置例を示す。上記では、図１に示すように、アクティブ素子基板１１を介して、磁気発生部１とアンテナ配線２とが対向しているが、これに限定されるものではない。例えば、図６に示すように、アクティブ素子基板の角を切り取り、角が切り取られたコーナ部分に、磁気発生部２２を配置するようにしてもよい。つまり、図１に示すように、アクティブ素子基板１１の面上に磁気発生部１を配置するのではなく、図６に示すように、上記コーナ部分に磁気発生部２を配置して、アクティブ素子基板の側部からアンテナ配線２３に磁束を与えるようにしてもよい。
【００８６】
なお、この場合、磁気発生部２とアンテナ配線２３とが対向することが好ましい。そのため、図６に示すように、コーナ部分でのアクティブ素子基板の形状に沿って、磁気発生部２と対向するように、アンテナ配線２３のループを形成すればよい。
【００８７】
さらに、図１に示す表示パネル１０にて、アクティブ素子基板１１と対向基板１２とを導通する場合には、これら両基板間を導通するために設けられたコモン転移材（接続部材）を介してループをなすように、アンテナ配線を形成すればよい。つまり、アンテナ配線の各端子を、コモン転移材とアンテナ配線とによってループが形成されるように、表示パネル１０に設けられた所定の部材に接続すればよい。
【００８８】
アクティブ素子基板１１と対向基板１２とを導通する場合のアンテナ配線は、図２（ａ）に示すように、アクティブ素子基板１１上に平面的に形成されてもよいが、これに限定されるものではない。すなわち、図１に示すように、表示パネル１０は、アクティブ素子基板１１上に、液晶層１４、対向基板１２が順に形成された積層構造を有している。そのため、この積層構造の積層方向に沿ってループをなすように、アンテナ配線を形成してもよい。つまり、アクティブ素子基板１１の面に対して、垂直な方向に、アンテナ配線の導線を巻き回すようにしてもよい。
【００８９】
本実施の形態の液晶表示装置では、表示パネルに画像表示を行う場合に、磁気発生部及びアンテナ配線のみを用いて、表示駆動に必要な電源の供給や信号の伝達を行っているが、他の電源供給手段と併用する構成であってもよい。
【００９０】
図７に、磁気発生部及びアンテナ配線とともに、光電変換素子を電源供給手段として用いた液晶表示装置の上面図及び側面図を示す。なお、図７に示す側面３は、図１に示す側面図に対応している。
【００９１】
図７に示す液晶表示装置は、表示パネル３０の２辺に、ドライバ回路９と、磁気発生部１及びアンテナ配線２とが配置された額縁領域が形成されている。図７中の側面１・２に示すように、各辺の額縁領域の中央部分に、光電変換素子３１が設けられ、端部に、磁気発生部１及びアンテナ配線２が設けられている。
【００９２】
上記光電変換素子３１は、光出力部３１ａと受光部３１ｂとを含み、光起電力効果を利用して、ドライバ回路９に供給する電源を発生させる。具体的には、光出力部３１ａから出力された光を受光部３１ｂで受光し、この受光した光によって、受光部３１ｂでは、起電力が発生する。ここで、上記光出力部３１ａから出射される光は、赤外光や可視光、紫外光等である。
【００９３】
上記光出力部３１ａと受光部３１ｂとは、光出力部３１ａからの光が受光部３１ｂで受光されるように配置されていればよい。例えば、上記ドライバ回路９とアクティブ素子基板１１との間に受光部３１ｂを配置し、該受光部３１ｂとアクティブ素子基板１１を介して対向するように、光出力部３１ａを配置すればよい。
【００９４】
また、上記光電変換素子３１は、微細な部材であり、アクティブ素子基板１１のドライバ回路９が配置される領域内に収まる程度に小さい。そのため、上記光電変換素子３１を用いて表示パネル３０に電源供給を行った場合にも、従来のＦＰＣを用いた液晶表示装置（図８）に比べて、表示パネルの額縁領域を縮小して、狭額縁化を図ることができる。
【００９５】
一般に、液晶表示装置は、表示パネルとバックライトとを別々に設ける構成であるため、表示パネルにおける消費電力が非常に小さい。一方、有機ＥＬ表示装置は、表示パネルで有機ＥＬ素子を発光させるための電源供給が必要となるため、液晶表示装置に比べると表示パネルにおける消費電力が大きい。しかしながら、電源供給手段として、上記光電変換素子３１と、磁気発生部及びアンテナ配線とを併用すれば、表示パネルにおける消費電力が比較的大きい表示装置においても、表示駆動に必要とされる電源供給とともに、狭額縁化を実現することができる。
【００９６】
また、上記では、アンテナ配線を使用する場合を例に挙げて説明したが、アンテナ配線に代えて、磁気センサを使用してもよい。磁気センサを使用する場合、磁気発生部からの磁束を磁気センサが感知することによって得られる磁気センサの出力のオン／オフ信号を、表示パネル１０の表示駆動を行うための表示信号として利用することができる。すなわち、磁気発生部からの磁束による起電力の発生の有無により、磁気センサの出力のオン／オフを切り換えることができるので、この磁気センサのオン／オフ信号をドライバ回路に入力すれば、表示パネル１０に画像表示を行うことができる。
【００９７】
さらに、本実施の形態では、表示パネルに設けられたバスラインへの信号供給、ドライバ回路への電源供給、スイッチング素子等、表示パネルへの画像表示の表示駆動制御を行うために、磁気発生部、及び、アンテナ配線又は磁気センサを用いているが、これに限定されない。すなわち、電圧の供給を行うことによって作動する、ＩＣチップ等の表示パネルに設けられた各種の電子部品（電子デバイス）に信号や電源を供給する場合にも、上記磁気発生部、及び、アンテナ配線又は磁気センサを用いることができる。
【００９８】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００９９】
本発明の表示装置を用いれば、表示領域の周囲に形成される額縁領域を大幅に縮小することができる。従って、小型化が要求されている携帯電話やカーナビゲーション、ノート型パソコン等の携帯情報端末に対しては、該携帯情報端末の外形寸法に収まる範囲内で最大寸法となる広い表示領域を有する表示装置を提供することができる。
【０１００】
また、複数の表示パネルをつなぎ合わせることによって大画面化を図っている表示装置では、表示パネル間のつなぎ目を目立たなくすることができる。これにより、表示品位を向上し、臨場感に富んだ画像表示を行い得る大画面の表示装置を提供することができる。
【図面の簡単な説明】
【０１０１】
【図１】本発明における表示装置の実施の一形態を示す側面図である。
【図２】（ａ）は、上記表示装置の表示パネルの上面図であり、（ｂ）は、上記表示パネルに設けられたアンテナ配線の実施の一形態を示す上面図であり、（ｃ）は、上記アンテナ配線の斜視図である。
【図３】複数の表示パネルをつなぎ合わせてなる表示装置の実施の一形態を示す上面図である。
【図４】上記表示装置に用いられる表示パネルの上面図である。
【図５】表示パネルに設けられるアンテナ配線の他の実施形態を示す上面図である。
【図６】表示パネルにおける電磁誘導発生部材の他の配置を示す上面図である。
【図７】本発明における表示装置のさらに他の実施の形態を示す上面図及び側面図である。
【図８】従来の表示装置を示す側面図である。
【符号の説明】
【０１０２】
１    磁気発生部
２    アンテナ配線（起電力発生部）
２ａ  導線
２ｂ  絶縁層
３    プリント回路基板（制御用回路基板）
４    バックライト
５    バスライン（電子デバイス・表示制御部材・信号線）
６    アクティブ素子（電子デバイス・表示制御部材）
７    ドライバ回路（電子デバイス・表示制御部材）
８    角部分
９    ドライバ回路（電子デバイス・表示制御部材）
１０    表示パネル
１１    アクティブ素子基板（基板・信号線側基板）
１２    対向基板（基板）
１３    シール部材
１４    液晶層
１５    対向電極
１６    カラーフィルタ（導体部材）
１７    ブラックマトリクス（導体部材）
１８    裏偏光板（導体部材）
１９    表偏光板（導体部材）
２０    表示領域
２１    アンテナ配線（起電力発生部）
２２    磁気発生部
２３    アンテナ配線（起電力発生部）
３０    表示パネル
３１    光電変換素子
３１ａ  光出力部
３１ｂ  受光部
【図１】
2006078993.tif 000003
【図２】
2006078993.tif 000004
【図３】
2006078993.tif 000005
【図４】
2006078993.tif 000006
【図５】
2006078993.tif 000007
【図６】
2006078993.tif 000008
【図７】
2006078993.tif 000009
【図８】
2006078993.tif 000010